(57)【要約】      （修正有）【課題】スピーディに回路板は使用対象と設置接合し、更にはスピーディに複数の回路板を電気接合し、使用対象のモジュール化製作をしやすくする回路板組立構造を提供する。【解決手段】回路板組立構造は、少なくとも一つの固定挟持具１０を含む。その固定挟持具は回路板の板端に相互に押圧接合した第一上挟持片１１及び第一下挟持片１２を備える。主に回路板３０を固定挟持具の第一上挟持片及び第一下挟持片の間に挟持し、次に固定挟持具と使用対象を接合することに拠って、回路板の設置動作を簡素化する。更に少なくとも一つの延長挟持具を含み、結合方式で複数の回路板の延長接続を構成し、使用対象のモジュール化製作をしやすくする。【選択図】図１
0003173557.tif 000002
【実用新案登録請求の範囲】
【請求項１】
少なくとも一つの固定挟持具を含む回路板組立構造において、そのうち、
該少なくとも一つの固定挟持具は、回路板の板端に相互に押圧接合する第一上挟持片及び第一下挟持片を備え、該第一上挟持片及び該第一下挟持片には回路板の電源端子を露出させる端子孔を複数個対応設置し、更に該第一上挟持片もしくは第二挟持片の内側面には少なくとも一個の各端子孔に沿って配置する導通部品差込槽を設置し、該導通部品差込槽は導通部品に接合することを特徴とする回路板組立構造。
【請求項２】
前記回路板組立構造は、更に少なくとも一つの延長挟持具を含み、該少なくとも一つの延長挟持具は対応掛合する一第二上挟持片及び一第二下挟持片を備え、該第二下挟持片の内側面には前後が相互に通じる回路板載置槽を複数個設置し、更に該第二上挟持片と該第二下挟持片の内側面には各回路板載置槽の間に延びる少なくとも一つの導通部品差込槽を対応設置することを特徴とする請求項１記載の回路板組立構造。
【請求項３】
前記少なくとも一つの延長挟持具は、更に該第二上挟持片もしくは該第二下挟持片の導通部品差込槽中で選択し、予定の回路板載置槽の間で跨ぐ少なくとも一つの第一導通部品を差込設置することを特徴とする請求項２記載の回路板組立構造。
【請求項４】
前記少なくとも一つの延長挟持具の第二上挟持片の前側及び後側は、それぞれ複数個の掛合耳を設置し、該第二下挟持片の前側及び後側は、それぞれ各掛合耳と対応掛合する掛合凸を設置し、更に該第二上挟持片及び該第二下挟持片の両端は使用対象と嵌合する第二嵌設部を対応形成することを特徴とする請求項２記載の回路板組立構造。
【請求項５】
前記少なくとも一つの固定挟持具は、該第一上挟持片及び該第一下挟持片の内側面に、各端子孔の間に伸びて配置する少なくとも一つの導通部品差込槽をそれぞれ設置し、更に該少なくとも一つの固定挟持具は、更に該第一上挟持片もしくは該第一下挟持片の導通部品差込槽内で選択し、予定の端子孔の間で跨ぐ少なくとも一つの第二導通部品を差込設置することを特徴とする請求項１記載の回路板組立構造。
【請求項６】
前記少なくとも一つの固定挟持具は、該第一下挟持片の内側面に、端子孔の間隔で配置した導通部品差込槽をそれぞれ複数個設置し、該少なくとも一つの固定挟持具は、少なくとも一つの第三導通部品を含み、該第三導通部品は、該第一上挟持片及び該第一下挟持片の間に収納される導通部品本体を備え、該導通部品本体の両端は、該第一下挟持片の導通部品差込槽と接合する差込部をそれぞれ設置し、該第三導通部品は、その導通部品本体の両端に回路板と電気接合する電極ポイントをそれぞれ設置することを特徴とする請求項１記載の回路板組立構造。
【請求項７】
前記第一上挟持片と該第一下挟持片は、使用対象と接合する一側に使用対象と嵌合する第一嵌設部を一体連接し、更に該第一上挟持片及び該第一下挟持片の回路板向きの一側に対応掛合する掛合耳及び掛合凸をそれぞれ複数個設置することを特徴とする請求項１記載の回路板組立構造。
【請求項８】
前記第一上挟持片は、内側面に回路板の定位孔と対応する複数の定位柱を設置することを特徴とする請求項１記載の回路板組立構造。
【考案の詳細な説明】
【技術分野】
【０００１】
本考案は、回路板組立構造に関するもので、特に回路板と使用対象をスピーディに設置接合し、更に複数の回路板をスピーディに電気接合し、使用対象のモジュール化製作をしやすくする回路板組立構造に係わる。
【背景技術】
【０００２】
発光ダイオード（LED）は固定操作モードに属し、従来の蛍光灯管もしくは白熱電球と異なり気体もしくは真空管を壊さない。加えて振動、可動、摩耗を有効に防止する性質を備えるため、使用寿命を有効に延ばす。
【０００３】
発光ダイオードの製品価値が大幅に上昇している中、高輝度の発光ダイオードの領域は絶え間なく開発され、照明光源市場に於いて、携帯懐中電灯、サーチライト、キャンプライト、フラッシュライト、医療機器照明灯、更には戸外照明等に応用され、高輝度発光ダイオードは公知の蛍光灯もしくは白熱電球市場を高スピードで侵食している。
【０００４】
更に、業界ではモジュール化した発光ダイオード部品を普遍的に使用するようになり、関連製品の照明光源が提供されている。類似のモジュール化発光ダイオード部品は、ほとんど数量が異なる発光ダイオードが直列状、隊列状もしくはリング状等の配列方式で回路板もしくは金属基板(以下回路板に統一)上に構築され、更に回路板を照明器具の主体に設置して使用している。
【０００５】
場合によっては、或るモジュール化発光ダイオード部品の回路板は、予め数量が異なる基板を規格し、更に各ドーターボード上に数量が異なる発光ダイオードを構築し、ドーターボードの数量を留保する方式で発光ダイオード部品の発光ダイオード数量を調整し、発光パワーを調整する目的を達成する。
【考案の概要】
【考案が解決しようとする課題】
【０００６】
解決しようとする問題点は、類似の調整機能を備えた回路板は、ドーターボードの数量を留保する方式で、発光ダイオード(もしくはその他電子部品)数量を調整する目的を達成できるが、それは使用対象と組立接合の過程において、ドーターボード数の変更によって、回路板の設置、メンテナンスの難度が上がり、場合によっては異なる形状の固定器具もしくは支持フレームを交換しなければならなくなり、関連部品の開発コストが上がるだけでなく、モジュール化製作の難度も上がり、相対して生産、組立コストが下がりにくくなってしまう点である。
【課題を解決するための手段】
【０００７】
本考案は、少なくとも一つの固定挟持具を含む。その固定挟持具は回路板の板端に相互に押圧接合した第一上挟持片及び第一下挟持片を備え、主に回路板を固定挟持具の第一上挟持片及び第一下挟持片の間に挟持し、次に固定挟持具と使用対象を接合することに拠って、回路板の設置動作を簡素化する。更に少なくとも一つの延長挟持具を含み、結合方式で複数の回路板の延長接続を構成し、使用対象のモジュール化製作をしやすくすることを最も主要な特徴とする。
【考案の効果】
【０００８】
本考案の回路板組立構造は、以下の利点がある。
１.簡単な押圧掛合動作だけでスピーディに回路板を固定挟持具の第一上挟持片及び第一下挟持片の間に挟持し、続いて固定挟持具と使用対象を接合し、回路板の設置動作を大幅に簡素化する。
２.簡単な押圧掛合動作だけでスピーディに複数の回路板を結合方式で延長挟持具の第二上挟持片及び第二下挟持片の間に挟持固定し、複数の回路板の延長接続設置動作を大幅に簡素化する。
３.固定挟持具の第一上挟持片及び第一下挟持片を開くだけでスピーディに回路板を固定挟持具から外し、回路板のメンテナンス、交換がしやすくなる。
４.予め留保した導通部品差込槽と、予定数の第一、第二もしくは第三導通部品を合わせた応用でスピーディに複数の回路の電気接合を構成し、使用対象のモジュール化製作がしやすくなる。
【図面の簡単な説明】
【０００９】
【図１】本考案の第一実施例の回路板組立構造使用配置参考図である。
【図２】本考案の第一実施例の固定挟持具の展開状態外観立体図である。
【図３】本考案の第一実施例の第一上挟持片及び第一下挟持片の内側面構造平面図である。
【図４】本考案の第一実施例の第二導通部品の設置指示図である。
【図５】本考案の第一実施例の固定挟持具は使用対象とのフレーム設置指示図である。
【図６】本考案の第二実施例の回路板組立構造の使用配置参考図である。
【図７】本考案の第二実施例の延長挟持具の第二上挟持片及び第二下挟持片の内側面構造平面図である。
【図８】本考案の第二実施例の延長挟持具と回路板の設置指示図である。
【図９】本考案の第二実施例の延長挟持具と回路板の別設置指示図である。
【図１０】本考案の第三実施例の第三導通部品の設置指示図である。
【図１１】本考案の第三実施例の第三導通部品の別設置指示図である。
【考案を実施するための形態】
【００１０】
本考案は、回路板と使用対象の設置接合をスピーディに構成し、更に複数の回路板の電気接合をスピーディに構成し、使用対象のモジュール化製作をしやすくする回路板組立構造を提供することを本考案の主な目的とする。
【００１１】
上述の目的とおり、本考案の回路板組立構造は、少なくとも一つの固定挟持具を含む。そのうち、該少なくとも一つの固定挟持具は、回路板の板端に相互に押圧接合する第一上挟持片及び第一下挟持片を備え、該第一上挟持片及び該第一下挟持片は、回路板の電源端子を露出させる複数個の端子孔を対応設置し、更に該第一上挟持片もしくは第二挟持片の内側面には、少なくとも一個の各端子孔に沿って配置する導通部品差込槽を設置し、該導通部品差込槽は導通部品に接合される。
【００１２】
原則的に、簡単に第一上挟持片及び第一下挟持片を相互に押圧掛合する動作だけで、回路板を該固定挟持具の第一上挟持片及び第一下挟持片の間に固定し、導通部品を電気接合し、更に固定挟持具で回路板と使用対象が相互に固定接合され、回路板の電源端子を端子孔から伸びた使用対象の回路と電気連接することで、スピーディに回路板と使用対象の設置接合の目的を達成する。更に必要時には、固定挟持具と連同する回路板を使用対象から外し、第一上挟持片及び第一下挟持片を開く動作だけで、回路板が固定挟持具から外れ、回路板のメンテナンス、交換がしやすい。
【実施例１】
【００１３】
図１は本考案の第一実施例の回路板組立構造使用配置の参考図で、図２は本考案の第一実施例の固定挟持具の展開状態外観立体図であり、図３は本考案の第一実施例の第一上挟持片及び第一下挟持片内側面構造平面図である。本考案の回路板組立構造は、少なくとも一つの固定挟持具１０を含む。そのうち、
【００１４】
該少なくとも一つの固定挟持具１０は、回路板３０板端に相互に押圧接合する第一上挟持片１１及び第一下挟持片１２を備え、該第一上挟持片１１及び該第一下挟持片１２には、回路板３０の電源端子３３を露出させる複数個の端子孔１１１、１２１を対応設置する。更に該第一上挟持片１１の内側面には回路板３０の定位孔３２と対応する複数個の定位柱１１２を設置する。
【００１５】
そのうち、該第一上挟持片もしくは第二挟持片の内側面は、各端子孔に沿って配置する少なくとも一個の導通部品差込槽を設置し、該導通部品差込槽は導通部品に接合する。例として図４に示す実施例は、該第一上挟持片１１及び該第一下挟持片１２の内側面にそれぞれ各端子孔１１１、１２１の間に伸びて配置する少なくとも一本の導通部品差込槽１３を設置する。更に該少なくとも一つの固定挟持具１０は更に該第一上挟持片１１もしくは該第一下挟持片１２を選択して導通部品差込槽１３内の(図に示すのは第一上挟持片１１の導通部品差込槽１３内である)予定の端子孔１１１、１２１の間で架設する少なくとも一つの第二導通部品１４を差込設置する。主に予め留保した端子孔１２１及び予め残した導通部品差込槽１３で設計し、使用対象に対応して異なる回路板３０の数量、位置を調整し、更にスピーディに複数の回路板３０の電気接合を確実に構成する。
【００１６】
原則的に、本考案の第一実施例の回路板組立構造は、固定挟持具１０の第一上挟持片１１上の定位柱１１２を回路板３０の定位孔３２に対応して挿入し、更に第一上挟持片１１及び第一下挟持片１２を相互に押圧掛合する動作だけで簡単に回路板３０を該固定挟持具１０の第一上挟持片１１及び第一下挟持片１２の間に固定する。更に図５に示すとおり、該少なくとも一つの固定挟持具１０で回路板３０と使用対象４０を相互に挿入接合し、回路板の電源端子３３を端子孔１１１を経て伸び使用対象４０(照明器具)が属する回路と電気連接できるので、回路板３０と使用対象４０をスピーディに設置接合する目的を達成する。
【００１７】
更に、必要時には、固定挟持具１０と共に回路板３０を使用対象４０から外し、続いて第一上挟持片１１及び第一下挟持片１２を簡単に開くだけで、回路板３０は固定挟持具１０から外れ、回路板３０のメンテナンスや交換をしやすい。上図に示すとおり、回路板３０を設置した使用対象４０(照明器具)は、回路板と接合したフレーム４１内側面に嵌設槽４２を設置し、該固定挟持具１０の第一上挟持片１１及び第一下挟持片１２は嵌設槽４２に嵌合する方式で回路板３０と使用対象４０を設置接合する目的を達成する。
【実施例２】
【００１８】
図６は本考案第二実施例の回路板組立構造使用配置の参考図で、図７は本考案第二実施例の挟持具の第二上挟持片及び第二下挟持片を伸ばした内側面構造平面図であり、本考案の回路板組立構造は、更に少なくとも一つの延長挟持具２０を含む。そのうち、
【００１９】
該少なくとも一つの延長挟持具２０は、対応掛合する第二上挟持片２１及び第二下挟持片２２を備え、該第二下挟持片２２の内側面には複数個の前後に通じる回路板載置槽２２１を設置する。更に該第二上挟持片２１と該第二下挟持片２２の内側面は各回路板載置槽２２１の間に少なくとも一本に伸びた導通部品差込槽２３を対応設置する。
【００２０】
図８に示すとおり、該少なくとも一つの延長挟持具２０は、使用時には複数の回路板３０(図式で示すのは回路板３０のドーターボード３１とする)を結合方式で対応掛合する第二上挟持片２１及び第二下挟持片２２の間に設置し、スピーディに複数の回路板３０が延長接続する目的を達成する。特に、必要時、該少なくとも一つの延長挟持具２０は図９に示すとおり、更に該第二上挟持片２１もしくは該第二下挟持片２２の導通部品差込槽を選択して回路板載置槽２２１の間に架設した少なくとも一つの第一導通部品２４を差込設置し、該少なくとも一つの第一導通部品２４で該第二上挟持片２１及び該第二下挟持片２２の間に挟持された複数の回路板３０を(図式では回路板３０のドーターボード３１とする)電気接合して構成する。
【００２１】
特に、本考案の回路板組立構造は、ドーターボード３１の数量調整機能を備えた回路板３０設置使用の応用に適する。これらによって、本考案の回路板組立構造を実施する時、図１０及び図１１に示すとおり、該固定挟持具１０の第一下挟持片１２内側面に、それぞれの端子孔１２１と間隔をあけて配置した複数個の導通部品差込槽１５を設置してもよく、該少なくとも一つの固定挟持具１０は、更に少なくとも一つの第三導通部品１６を含む。
【００２２】
該少なくとも一つの第三導通部品１６は、該第一上挟持片１１及び該第一下挟持片１２の間に納置される導通部品本体１６１を備え、該導通部品本体１６１両端は、それぞれ該第一下挟持片１２の導通部品差込槽１５と接合する差込部１６２を設置する。更に該少なくとも一つの第三導通部品１６は、導通部品本体１６１両端に、回路板３０と電気接合する電極ポイント１６３をそれぞれ設置する。
【００２３】
必要時には、予定数の導通部品１６を図１０に示すように同一固定挟持具１０の相互に押圧接合する第一上挟持片１１及び第一下挟持片１２間に設置して同一組の固定挟持具１０内で隣接する回路板３０を押さえて導通するのに用いるか、もしくは図１１に示すように導通部品１６を隣接する二個の固定挟持具１０のそれぞれ押圧接合する第一上挟持片１１及び第一下挟持片１２間に横架設して隣接する固定挟持具１０の間の回路板３０を導通させるのに用いる。
【００２４】
具体的には、本考案の回路板組立構造は、更に事前留保した導通部品差込槽を利用し、更に予定数の第一、第二もしくは第三導通部品を合わせて応用し、即ちスピーディに複数の回路電気接合を構成し、更にスピーディに複数の回路板のドーターボード電気接合を構成し、更に使用対象モジュール化製作しやすくする。
【００２５】
上述の各実施例において、該少なくとも一つの固定挟持具１０の第一上挟持片１１と第一下挟持片１２は、一体加工成型が望ましい。図３及び図５に示すとおり、該第一上挟持片１１と該第一下挟持片１２の使用対象４０と接合する一側は一体で連接して使用対象４０と嵌合する第一嵌設部１７を形成する。更に該第一上挟持片１１及び該第一下挟持片１２の回路板向きの一側には、それぞれ対応掛合する複数の掛合耳１８１及び掛合凸１８２を設置し、固定挟持具１０の第一上挟持片１１と第一下挟持片１２を確実に安定して押圧接合する。
【００２６】
図９に示すとおり、該少なくとも一つの延長挟持具２０の第二上挟持片２１及び第二下挟持片２２は、独立した単体が望ましい。該第二上挟持片２１及び該第二下挟持片２２の両端は使用対象と嵌合する第二嵌設部２５を対応形成する。更に該少なくとも一つの延長挟持具２０の第二上挟持片２１の前側及び後側は、複数個の掛合耳２６１をそれぞれ設置し、該第二下挟持片２２の前側及び後側は、各掛合耳２６１と対応掛合する掛合凸２６２をそれぞれ設置し、掛合凸２６２と掛合耳２６１の簡単掛合動作によって該第二上挟持片２１と該第二下挟持片２２を確実で安定的に押圧接合する。
【００２７】
上述の図６から図９の実施例において、該少なくとも一つの延長挟持具２０の第二上挟持片２１及び第二下挟持片２２は、複数個の補強部２７をそれぞれ設置する。実施時、該第二上挟持片２１の補強部２７は該第二上挟持片２１外側面に設置する凸条から構成する。該第二下挟持片２２の補強部２７は該第二下挟持片２２外側面に設置する凸条から構成し、回路板の延長挟持具２０全体の構造強度を高める。
【００２８】
同様に、図５に示すとおり、該少なくとも一つの固定挟持具１０の第一上挟持片１１と第一下挟持片１２は、複数個の補強部１９をそれぞれ設置する。実施時、該第一上挟持片１１の補強部１９は、該第一上挟持片１１外側面に設置した凸条によって構成される。該第一下挟持片１２の補強部は、該第一下挟持片１２外側面に設置した凸条によって構成され、固定挟持具１０全体の構造強度を高める。
【００２９】
公知構造と比較すると、本考案の回路板組立構造は、簡単な掛合動作に拠って、スピーディに回路板を固定挟持具の第一上挟持片及び第一下挟持片の間に挟持し、次に固定挟持具を使用対象と接合することによって、回路板の設置動作を大幅に簡素化する。同様に、簡単な押圧掛合動作でスピーディに複数の回路板を結合方式で延長挟持具の第二上挟持片及び第二下挟持片の間に挟持固定し、複数の回路板の延長接続動作で大幅に簡素化する。更に固定挟持具の第一上挟持片及び第一下挟持片を開くだけでスピーディに回路板を固定挟持具から外し、回路板のメンテナンス、交換がしやすくなる。特に事前留保した導通部品差込槽と、予定数の第一、第二もしくは第三導通部品の応用によってスピーディに複数の回路電気接合を構成し、使用対象のモジュール化製作がしやすくなる。
【００３０】
上述のとおり、本考案は良好な回路板組立構造を提供し、法に基づき実用新案登録を申請する。本考案の技術内容及び技術特徴は、上述のとおりであるが、本領域に習熟した者が、本考案が提示する各種の本考案精神から乖離しない入替及び修飾を提示するかもしれない。拠って、本考案の保護範囲は、実施例に制限されず、本考案から乖離しない入替及び修飾も本考案の請求項に含むこととする。
【符号の説明】
【００３１】
１０        固定挟持具
１１        第一上挟持片
１１１      端子孔
１１２      定位柱
１２        第一下挟持片
１２１      端子孔
１３        導通部品差込槽
１４        第二導通部品
１５        導通部品差込槽
１６        第三導通部品
１６１      導通部品本体
１６２      差込部
１６３      電極ポイント
１７        第一嵌設部
１８１      掛合耳
１８２      掛合凸
１９        補強部
２０        延長挟持具
２１        第二上挟持片
２２        第二下挟持片
２２１      回路板載置槽
２３        導通部品差込槽
２４        第一導通部品
２５        第二嵌設部
２６１      掛合耳
２６２      掛合凸
２７        補強部
３０        回路板
３１        ドーターボード
３２        定位孔
３３        電源端子
４０        使用対象
４１        フレーム
４２        嵌設槽
【図１】
0003173557.tif 000003
【図２】
0003173557.tif 000004
【図３】
0003173557.tif 000005
【図４】
0003173557.tif 000006
【図５】
0003173557.tif 000007
【図６】
0003173557.tif 000008
【図７】
0003173557.tif 000009
【図８】
0003173557.tif 000010
【図９】
0003173557.tif 000011
【図１０】
0003173557.tif 000012
【図１１】
0003173557.tif 000013